(57)【要約】【課題】ディスク装置において、光ディスクの記録特性に関わらずスムーズに再生されるデータを記録することができるディスク装置を提供することを目的とする。【解決手段】ディスク装置１は、光ディスク２にレーザ光を照射する光ピックアップ４と、レーザ光の反射率を検出する反射率検出部６と、データ１２の再生時におけるＲＦ信号の振幅を検出する振幅検出部７と、装置全体を制御する制御部８とを備える。制御部８は、反射率が反射率閾値より小さいかを判定する反射率判定手段９と、振幅が振幅閾値より小さいかを判定する振幅判定手段１０と、反射率と振幅に基づいて記録パワー及びパルス幅を決定する調整手段１１を備える。調整手段１１は、反射率判定手段９と振幅判定手段１０の判定に応じて記録パワー及びパルス幅を決定する。これにより、ディスク装置１は、光ディスク２の記録特性に関わらずスムーズに再生されるデータ１２を記録することができる。【選択図】図１
2008299898.tif 000002
【特許請求の範囲】
【請求項１】
再記録可能な光ディスクにデータを記録再生するためにレーザ光を照射する発光部と、レーザ光が光ディスクによって反射させられた反射光を受光する受光部とを有する記録再生部と、前記発光部がデータを記録するときに照射するレーザ光の記録パワーを調整する調整手段と、を備え、光ディスクのテスト領域に記録したテストデータを再生することによって、記録パワーを調整するＯＰＣ（Ｏｐｔｉｍｕｍ  Ｐｏｗｅｒ  Ｃｏｎｔｒｏｌ）動作を行うディスク装置において、
前記光ディスク上のデータ領域に記録されたデータが前記記録再生部によって再生されたとき、前記発光部が照射したレーザ光と前記受光部が受光した前記反射光から反射率を検出する反射率検出部と、
前記反射率が予め定められた反射率閾値より小さいか否かを判定する反射率判定手段と、を備え、
前記調整手段は、前記反射率に応じて記録パワーと記録パワーのパルス幅を設定し、
前記記録再生部は、
前記データ領域にデータを所定量記録すると、データの記録を中断してデータを再生し、前記反射率判定手段により前記反射率が前記反射率閾値より小さいと判断されたとき、データの記録を中断した中断位置に記録パワーとパルス幅を変化させながらテストデータを記録し、記録したテストデータを再生し、
テストデータが再生されたときの反射率に応じて前記調整手段により設定された記録パワー及びパルス幅で、前記中断位置にデータを記録することを特徴とするディスク装置。
【請求項２】
再記録可能な光ディスクにデータを記録再生するためにレーザ光を照射する発光部と、レーザ光が光ディスクによって反射させられた反射光を受光する受光部とを有する記録再生部と、前記発光部がデータを記録するときに照射するレーザ光の記録パワーを調整する調整手段と、を備え、光ディスクのテスト領域に記録したテストデータを再生することによって、記録パワーを調整するＯＰＣ動作を行うディスク装置において、
前記光ディスク上のデータ領域に記録されたデータが前記記録再生部によって再生されたとき、前記受光部が受光した前記反射光からＲＦ（Ｒａｄｉｏ  Ｆｒｅｑｕｅｎｃｙ）信号の振幅を検出する振幅検出部と、
前記振幅が予め定められた振幅閾値より小さいか否かを判定する振幅判定手段と、を備え、
前記調整手段は、前記振幅に応じて記録パワーと記録パワーのパルス幅を設定し、
前記記録再生部は、
前記データ領域にデータを所定量記録すると、データの記録を中断してデータを再生し、前記振幅判定手段により前記振幅が前記振幅閾値より小さいと判断されたとき、データの記録を中断した中断位置に記録パワーとパルス幅を変化させながらテストデータを記録し、記録したテストデータを再生し、
テストデータが再生されたときの振幅に応じて前記調整手段により設定されたた記録パワー及びパルス幅で、前記中断位置にデータを記録することを特徴とするディスク装置。
【請求項３】
前記反射率検出部と、前記反射率判定手段と、前記振幅検出部と、前記振幅判定手段と、を備え、
前記記録再生部は、
前記データ領域にデータを所定量記録すると、データの記録を中断してデータを再生し、前記反射率判定手段により前記反射率が前記反射率閾値より小さいと判断され、かつ前記振幅判定手段により前記振幅が前記振幅閾値より小さいと判断されたとき、前記中断位置に記録パワーとパルス幅を変化させながらテストデータを記録し、記録したテストデータを再生し、
テストデータが再生されたときの反射率と振幅に応じて前記調整手段により設定された記録パワー及びパルス幅で、前記中断位置にデータを記録することを特徴とする請求項１または請求項２に記載のディスク装置。
【発明の詳細な説明】
【技術分野】
【０００１】
本発明は、光ディスクに対してレーザ光を照射することによりデータを記録するディスク装置に関する。
【背景技術】
【０００２】
ＣＤ−ＲやＤＶＤなどの光ディスクにデータを記録するディスク装置においては、光ディスクにレーザ光を照射してピットを形成することによりデータを記録する。記録されたデータの再生は、ディスク装置がピットに照射したレーザ光の反射光を受光部が受光することによって行われる。ディスク装置は、受光部が受光した反射光の反射率と振幅が小さいと、データを良好に再生できないため、良好に再生されるデータを光ディスクに記録するために最適な記録パワーでレーザ光を照射する必要がある。そこで、ディスク装置は、データの記録前にいわゆるＯＰＣ（Ｏｐｔｉｕｍ  Ｐｏｗｅｒ  Ｃｏｎｔｒｏｌ）によって最適な記録パワーを決定し、この決定した記録パワーでレーザ光を照射する。
【０００３】
しかし、光ディスクは、その形成過程の制限から、中心穴の位置が中心からわずかにずれた光ディスクやディスク盤面が反っている光ディスクが存在する。このため、ディスク装置が、ＯＰＣによって決定した記録パワーでレーザ光を照射しても、例えば、光ディスクの内周側においては、良好に再生されるデータを記録することができるが、外周側においては、良好に再生されるデータを記録できないことがあるという問題が生じていた。
【０００４】
そこで、データを再生した際の反射光のアシンメトリ値に基づいて記録パワーを決定するディスク装置において、反射光のノイズによるアシンメトリ値の誤演算を回避する手段が知られている（例えば、特許文献１参照）。また、実データが記録されるデータ領域においてテストデータを記録再生することによって記録パワーを決定し、以後、テストデータが記録された領域を使用不可能エリアとして使用しない技術が知られている（例えば、特許文献２参照）。さらに、光ディスクの反り具合や記録パワーの大きさに応じてデータの記録速度を変更する技術が知られている（例えば、特許文献３参照）。
【０００５】
しかしながら、特許文献１に示される技術においては、反射光のノイズが存在した場合であっても、正確にアシンメトリ値を演算することができるが、反射光の反射率や振幅に基づいて記録パワーとパルス幅を決定するものではない。特許文献２においては、データ領域における最適な記録パワーを得ることができるが、記録パワーのパルス幅を調整することができず、さらに、使用不可能エリアには、実データを記録することができないため、光ディスクの記録容量が減少するという問題が生じていた。また、特許文献３に示される技術においては、データの記録速度を変更させるものであり、良好に再生されるデータを記録するために最適な記録パワーとパルス幅を決定するものではない。
【特許文献１】特開２００５−２９３６５７号公報
【特許文献２】再表２００５−０３４１１１号公報
【特許文献３】特開２００４−１７８６８３号公報
【発明の開示】
【発明が解決しようとする課題】
【０００６】
本発明は、上記の問題を解決するためになされたものであり、再記録可能な光ディスクに対してレーザ光を照射することによりデータを記録するディスク装置において、光ディスク上の記録位置に適した記録パワー及パルス幅でデータを記録することができるディスク装置を提供することを目的とする。
【課題を解決するための手段】
【０００７】
上記目的を達成するために請求項１の発明は、再記録可能な光ディスクにデータを記録再生するためにレーザ光を照射する発光部と、レーザ光が光ディスクによって反射させられた反射光を受光する受光部とを有する記録再生部と、発光部がデータを記録するときに照射するレーザ光の記録パワーを調整する調整手段と、を備え、光ディスクのテスト領域に記録したテストデータを再生することによって、記録パワーを調整するＯＰＣ動作を行うディスク装置において、光ディスク上のデータ領域に記録されたデータが記録再生部によって再生されたとき、発光部が照射したレーザ光と受光部が受光した反射光から反射率を検出する反射率検出部と、反射率が予め定められた反射率閾値より小さいか否かを判定する反射率判定手段と、を備え、調整手段は、反射率に応じて記録パワーと記録パワーのパルス幅を設定し、記録再生部は、データ領域にデータを所定量記録すると、データの記録を中断してデータを再生し、反射率判定手段により反射率が反射率閾値より小さいと判断されたとき、データの記録を中断した中断位置に記録パワーとパルス幅を変化させながらテストデータを記録し、記録したテストデータを再生し、テストデータが再生されたときの反射率に応じて調整手段により設定された記録パワー及びパルス幅で、中断位置にデータを記録するようにしたものである。
【０００８】
また、請求項２の発明は、再記録可能な光ディスクにデータを記録再生するためにレーザ光を照射する発光部と、レーザ光が光ディスクによって反射させられた反射光を受光する受光部とを有する記録再生部と、発光部がデータを記録するときに照射するレーザ光の記録パワーを調整する調整手段と、を備え、光ディスクのテスト領域に記録したテストデータを再生することによって、記録パワーを調整するＯＰＣ動作を行うディスク装置において、光ディスク上のデータ領域に記録されたデータが記録再生部によって再生されたとき、受光部が受光した反射光からＲＦ信号の振幅を検出する振幅検出部と、振幅が予め定められた振幅閾値より小さいか否かを判定する振幅判定手段と、を備え、調整手段は、振幅に応じて記録パワーと記録パワーのパルス幅を設定し、記録再生部は、データ領域にデータを所定量記録すると、データの記録を中断してデータを再生し、振幅判定手段により振幅が振幅閾値より小さいと判断されたとき、データの記録を中断した中断位置に記録パワーとパルス幅を変化させながらテストデータを記録し、記録したテストデータを再生し、テストデータが再生されたときの振幅に応じて調整手段により設定された記録パワー及びパルス幅で、中断位置にデータを記録するようにしたものである。
【０００９】
また、請求項３の発明は、請求項１または請求項２のディスク装置において、反射率検出部と、反射率判定手段と、振幅検出部と、振幅判定手段と、を備え、記録再生部は、データ領域にデータを所定量記録すると、データの記録を中断してデータを再生し、反射率判定手段により反射率が反射率閾値より小さいと判断され、かつ振幅判定手段により振幅が振幅閾値より小さいと判断されたとき、中断位置に記録パワーとパルス幅を変化させながらテストデータを記録し、記録したテストデータを再生し、テストデータが再生されたときの反射率と振幅に応じて調整手段により設定された記録パワー及びパルス幅で、中断位置にデータを記録するようにしたものである。
【発明の効果】
【００１０】
請求項１の発明によれば、記録パワー及びパルス幅は、データ領域に記録されたデータが再生されたときの反射率が反射率閾値より小さいとき、調整手段によりデータ領域に記録されたテストデータが再生されたときの反射率に基づいて決定される。記録再生部は、調整手段によって決定された記録パワー及びパルス幅でデータを記録する。これにより、ディスク装置は、光ディスクの記録特性に関わらず、良好に再生されるデータを記録することができる。
【００１１】
請求項２の発明によれば、記録パワー及びパルス幅は、データ領域に記録されたデータが再生されたときの振幅が振幅閾値より小さいとき、調整手段によりデータ領域に記録されたテストデータが再生されたときの振幅に基づいて決定される。記録再生部は、調整手段によって決定された記録パワー及びパルス幅でデータを記録する。これにより、ディスク装置は、光ディスクの記録特性に関わらず、良好に再生されるデータを記録することができる。
【００１２】
請求項３の発明によれば、記録パワー及びパルス幅は、データ領域に記録されたデータが再生されたときの反射率が反射率閾値より小さく、かつ振幅が振幅閾値より小さいとき、調整手段によりデータ領域に記録されたテストデータが再生されたときの反射率及び振幅に基づいて決定される。記録再生部は、調整手段によって決定された記録パワー及びパルス幅でデータを記録する。これにより、ディスク装置は、反射率または振幅のいずれか一方に基づいて記録パワー及びパルス幅が決定される場合に比べて、より良好に再生されるデータを記録することができる。
【発明を実施するための最良の形態】
【００１３】
以下、本発明の実施形態に係るディスク装置について、図面を参照して説明する。図１は、本実施形態に係るディスク装置の概略構成を示す。ディスク装置１は、再記録可能な光ディスク２を回転させるスピンドルモータ３と、光ディスク２にレーザ光を照射する光ピックアップ４（記録再生部）と、光ディスク２によって反射した反射光からＲＦ信号を検出するＲＦ信号検出部５と、光ピックアップ４が照射したレーザ光とＲＦ信号から反射光のレーザ光に対する反射率を検出する検出する反射率検出部６と、ＲＦ信号からＲＦ信号の振幅を検出する振幅検出部７と、スピンドルモータ３及び光ピックアップ４を含む装置全体を制御する制御部８とを備える。ここで、再記録可能な光ディスク２とは、例えば、ＣＤ±ＲＷやＤＶＤ±ＲＷである。
【００１４】
光ピックアップ４は、制御部８からの命令を受けて光ディスク２にレーザ光を照射する半導体レーザ４ａ（発光部）と、半導体レーザ４ａから照射されたレーザ光を透過させるビームスプリッタ４ｂと、ビームスプリッタ４ｂを透過したレーザ光を光ディスク２上に集光させる対物レンズ４ｃと、ビームスプリッタ４ｂによって方向を変えられた光ディスク２からの反射光を受光し、ＲＦ信号検出部５に信号を出力するフォトディテクタ４ｄ（受光部）とを備える。制御部８は、反射率検出部６が検出した反射率が予め定められた反射率閾値より小さいか否かを判定する反射率判定手段９と、振幅検出部７が検出した振幅が予め定められた振幅閾値より小さいか否かの判定を行う振幅判定手段１０と、反射率と振幅に基づいて光ピックアップ４がデータを光ディスク２に記録する際に照射するレーザ光の記録パワー及びパルス幅を決定する調整手段１１を備える。
【００１５】
ディスク装置１がデータを光ディスク２に記録するとき、制御部８は、ＯＰＣによって記録パワーを決定する。ＯＰＣとは、光ディスク２上に用意されたテスト領域に記録パワーを変化させながらテストデータを書き込み、この書き込まれたテストデータを再生することによって、データを記録するのに最適な記録パワーを決定する方法である。光ピックアップ４は、データ領域にＯＰＣによって決定された記録パワーのレーザ光を光ディスク２に照射してピットを形成することによりデータを記録する。ここで、データ領域とは、光ディスク２上であって、テストデータではなく実際のデータが記録される領域のことをいう。
【００１６】
光ディスク２に記録されたデータの再生は、ＲＦ信号検出部５がフォトディテクタ４ｄから受信した信号からＲＦ信号を検出することにより行われる。光ディスク２に形成されたピットが良好な形状でないとき、ピットに照射されたレーザ光の反射光が乱れるため、反射光の反射率は低くなり、ＲＦ信号の振幅は小さくなる。ディスク装置１は、反射率が低く、ＲＦ信号の振幅が小さいとき、データをスムーズに再生することができない。そこで、光ピックアップ４は、データの再生エラーが発生することなくスムーズに再生されるピットを形成するため、光ディスク２の記録特性に応じた最適な記録パワーでレーザ光を照射する。また、本実施形態に係る光ピックアップ４は、ピットの形成時に、熱溜まりによってピット後端が膨らむことによって生じる歪みを防止するため、マルチパルス方式によりレーザ光を照射する。
【００１７】
ここで、マルチパルス方式について説明する。図２は、本実施形態に係るマルチパルス方式における記録パワーとパルス幅の状態を示す。図２において、光ディスク２にピットを形成するために照射されたレーザ光のパルスＰは、場合に応じて、最もパワーの高い記録パワーレベル、最もパワーの低いバイアスパワーレベル、記録パワーレベルより低くバイアスパワーレベルより高い消去パワーレベルの３段階に変化する。ここで、消去パワーレベルから記録パワーレベルまでのパワーの大きさを記録パワーＲＰとする。
【００１８】
また、パルスＰは、場合に応じて、トップパルス幅ＴＰ、マルチパルス幅ＭＰ、クーリングパルス幅ＣＰに変化する。データを記録するとき、光ピックアップ４は、トップパルス幅ＴＰで記録パワーレベルに設定したレーザ光を照射し、その後、マルチパルス幅ＭＰで記録パワーレベルとバイアスパワーレベルとを交互に変化させながらレーザ光を照射し、最後にクーリングパルス幅ＣＰでバイアスパワーレベルに設定したレーザ光を照射する。クーリングパルス幅ＣＰは、形成されたピットを急冷することによって、ピットに歪みが発生することを防止すると共に、ピット後端のエッジがシャープにする効果がある。ここで、トップパルス幅ＴＰとマルチパルス幅ＭＰとを合わせてパルス幅ＰＷとする。
【００１９】
しかし、良好な形状のピットを形成する最適な記録パワーＲＰは、光ディスク２の周方向におけるデータの記録位置や光ディスク２の種類によって変化する。このため、光ピックアップ４が、ＯＰＣによって決定された記録パワーＲＰでレーザ光を照射しても、良好な形状のピットを形成できないことがある。特に、光ディスク２の最外周においては、光ディスク２の製法上の理由からＯＰＣによって決定された記録パワーＲＰでは良好な形状のピットを形成できない場合がある。そこで、制御部８は、反射率が反射率閾値より小さく、かつ振幅が振幅閾値より小さいとき、調整手段１１にスムーズに再生されるデータを記録することができる記録パワーＲＰ及びパルス幅ＰＷを決定させる。光ピックアップ４は、調整手段１１によって決定された記録パワーＲＰ及びパルス幅ＰＷでデータを記録することにより、光ディスク２の周方向におけるデータの記録位置や光ディスク２の種類に関わらず、スムーズに再生されるデータを記録することができる。
【００２０】
次に、光ピックアップ４が、調整手段１１によって決定された記録パワーＲＰ及びパルス幅ＰＷでデータをデータ領域に記録する状態について説明する。図３は、本実施形態に係るデータ領域におけるデータの記録状態を示す。図３（ａ）は、光ピックアップ４がデータの記録を中断した状態を示し、図３（ｂ）は、光ピックアップ４がデータを再生している状態を示し、図３（ｃ）は、光ピックアップ４がテストデータを記録した状態を示し、図３（ｄ）は、光ピックアップ４がテストデータを消去している状態を示し、図３（ｅ）は、光ピックアップがデータを記録している状態を示す。図３（ａ）において、制御部８は、光ピックアップ４にデータ１２を所定量記録させると、データ１２の記録を中断させる。光ピックアップ４がデータ１２の記録を中断した位置を中断位置ＩＰとする。制御部８が光ピックアップ４にデータ１２の記録を中断させるのは、例えば、データ１２を一時的に保持するバッファにデータ１２が所定量蓄積されるのを待つためである。
【００２１】
図３（ｂ）において、制御部８は、光ピックアップ４にデータ１２の記録を中断させると、光ピックアップ４の位置を戻して記録したデータ１２を再生させる。光ピックアップ４がデータ１２を再生すると、反射率検出部６は反射率を検出し、振幅検出部７は、振幅を検出する。反射率判定手段９が、反射率は反射率閾値より小さいと判定し、かつ振幅判定手段１０が、振幅は振幅閾値より小さいと判定すると、制御部８は、スムーズにデータ１２が再生されていないと判断する。
【００２２】
図３（ｃ）において、制御部８は、スムーズにデータ１２が再生されていないと判断すると、光ピックアップ４に中断位置ＩＰに記録パワーとパルス幅を変化させながらテストデータ１３を記録させる。光ピックアップ４は、テストデータ１３を記録すると、直ちに記録したテストデータ１３を再生する。テストデータ１３が再生されると、ＲＦ信号検出部５が検出したＲＦ信号に基づいて、反射率検出部６は反射率を検出し、振幅検出部７は、振幅を検出する。反射率判定手段９は、反射率検出部６が検出した反射率が反射率閾値より小さいか否かを判定し、振幅判定手段１０は、振幅検出部７が検出した振幅が振幅閾値より小さいか否かを判定する。反射率判定手段９によって反射率が反射率閾値より小さいと判定され、かつ振幅判定手段１０によって振幅が振幅閾値より小さいと判定されると、制御部８は、調整手段１１に再生されたテストデータ１３の反射率及び振幅に基づいて、中断位置ＩＰにおいてスムーズに再生されるデータを記録することができる記録パワーＲＰ及びパルス幅ＰＷを決定させる。
【００２３】
図３（ｄ）において、調整手段１１が記録パワーＲＰ及びパルス幅ＰＷを決定すると、制御部８は、光ピックアップ４に中断位置ＩＰに記録されたテストデータ１３を消去させる。ここで、テストデータ１３を消去するのは、中断位置ＩＰにデータ１２を記録するためである。図３（ｅ）において、光ピックアップ４がテストデータ１３を消去すると、制御部８は、光ピックアップ４に調整手段１１が決定した記録パワーＲＰ及びパルス幅ＰＷでデータ１２を中断位置ＩＰに記録させる。このように、光ピックアップ４が、実際にデータが記録される中断位置ＩＰに記録パワーとパルス幅を変化させながらテストデータ１３を記録し、調整手段１１が、再生されたテストデータ１３の反射率及び振幅に基づいて記録パワーＲＰ及びパルス幅ＰＷを決定することにより、ディスク装置１は、光ディスク２の周方向におけるデータ１２の記録位置に関わらずスムーズに再生されるデータを記録することが可能となる。
【００２４】
次に、ディスク装置１が光ディスク２にデータ１２を記録する記録処理について説明する。図４は、ディスク装置１におけるデータ１２の記録処理の動作フローを示す。データ１２をデータ領域に記録するとき、制御部８は、光ディスク２に適した記録パワーＲＰ及びパルス幅ＰＷを取得するためＯＰＣ処理を実行する（Ｓ１０１）。制御部８は、光ピックアップ４にＯＰＣ処理によって取得した記録パワーＲＰ及びパルス幅ＰＷでデータ１２の記録を開始させる（Ｓ１０２）。制御部８は、光ピックアップ４にデータ１２を所定量記録させると、データ１２の記録を中断させて、記録したデータ１２を再生させる（Ｓ１０３）。ここで、光ピックアップ４がデータ１２の記録を中断した位置を中断位置ＩＰとする。ＲＦ信号検出部５は、再生されたデータ１２についてのＲＦ信号を検出する（Ｓ１０４）。
【００２５】
反射率検出部６は、検出されたＲＦ信号から反射率を検出して反射率判定手段９に出力する（Ｓ１０５）。振幅検出部７は、検出されたＲＦ信号から振幅を検出して振幅判定手段１０に出力する（Ｓ１０６）。反射率判定手段９は、反射率が反射率閾値より小さいか否かを判定し、振幅判定手段１０は、振幅が振幅閾値より小さいか否かを判定する。反射率判定手段９が、反射率は反射率閾値より小さいと判定し、かつ振幅判定手段１０が、振幅は振幅閾値より小さいと判定すると（Ｓ１０７でＮｏ）、制御部８は、スムーズにデータ１２が再生されていないと判断する。次に、制御部８は、光ピックアップ４に記録パワーとパルス幅を変化させながらテストデータ１３を中断位置ＩＰに記録させ、直ちに記録させたテストデータ１３を再生させる（Ｓ１０８）。
【００２６】
反射率検出部６と振幅検出部７は、再生されたテストデータ１３についての反射率と振幅を検出する。調整手段１１は、テストデータ１３についての反射率と振幅に基づいて、中断位置ＩＰにおいてスムーズに再生されるデータを記録するのに最適な記録パワーＲＰとパルス幅ＰＷを決定する（Ｓ１０９）。制御部８は、光ピックアップ４に調整手段１１が決定した記録パワーＲＰとパルス幅ＰＷでデータ１２を中断位置ＩＰにデータ１２を記録させることによって記録を再開させる（Ｓ１１０）。
【００２７】
一方、ステップＳ１０７において、反射率判定手段９が、反射率は反射率閾値より小さくないと判定するか、振幅判定手段１０が、振幅は振幅閾値より小さくないと判定すると（Ｓ１０７でＮｏ）、制御部８は、スムーズにデータ１２が再生されていると判断し、記録パワーＲＰとパルス幅ＰＷを変更することなく、光ピックアップ４にデータ１２の記録を再開させる（Ｓ１１０）。制御部８は、光ピックアップ４がデータ１２を全て記録し終えるまで（Ｓ１１１でＮｏ）、ステップＳ１０３からステップＳ１１１までの処理を繰り返す。一方、ステップＳ１１１において、光ピックアップ４がデータ１２を全て記録し終えると（Ｓ１１１でＹｅｓ）、ディスク装置１は、データ１２の記録処理を終了する。
【００２８】
このように、本実施形態においては、制御部８は、反射率判定手段９が、反射率は反射率閾値より小さいと判定し、かつ振幅判定手段１０が、振幅は振幅閾値より小さいと判定すると、光ピックアップ４に記録パワーとパルス幅を変化させながらテストデータ１３を中断位置ＩＰに記録させ、直ちにテストデータ１３を再生させる。調整手段１１は、テストデータ１３についての反射率と振幅に基づいて、データ１２が記録される位置における最適な記録パワーＲＰとパルス幅ＰＷを決定する。これにより、ディスク装置１は、光ディスク２の種類やデータ１２が記録される位置における記録特性に関わらず、スムーズに再生されるデータ１２を記録することができる。
【００２９】
なお、本発明は、上記実施形態の構成に限られず、種々の変形が可能であり、例えば、
ディスク装置１は、制御部８が反射率判定手段９と振幅判定手段１０を備える構成ではなく、制御部８とは別に反射率判定手段９と振幅判定手段１０を備える構成であっても構わない。または、ディスク装置１は、反射率検出部６、振幅検出部７、反射率判定手段９、及び振幅判定手段１０の全てを備える構成ではなく、例えば、反射率検出部６と反射率判定手段９のみを備える構成であっても構わない。
【図面の簡単な説明】
【００３０】
【図１】本発明の実施形態に係るディスク装置の概略を示す構成図。
【図２】（ａ）〜（ｅ）は本実施形態に係るマルチパルス方式における記録パワーとパルス幅の状態を示す図。
【図３】本実施形態に係るデータ領域におけるデータの記録状態を示す図。
【図４】本実施形態に係るデータ記録処理フローチャート。
【符号の説明】
【００３１】
１  ディスク装置
２  光ディスク
４  光ピックアップ（記録再生部）
４ａ  半導体レーザ（発光部）
４ｄ  フォトディテクタ（受光部）
６  反射率検出部
７  振幅検出部
８  制御部
９  反射率判定手段
１０  振幅判定手段
１１  調整手段
【図１】
2008299898.tif 000003
【図２】
2008299898.tif 000004
【図３】
2008299898.tif 000005
【図４】
2008299898.tif 000006